(57)【要約】【課題】フォーカルプレンシャッタにおいて、シャッタ羽根動作時に摩擦により発生する摩耗粉やゴミが撮像部に付着することを抑制可能な構成とする。【解決手段】フォーカルプレンシャッタにおいて、第１開口部を有する地板と、前記第１開口部に対向する位置に第２開口部を有するカバー板と、前記地板と前記カバー板との間に配置され、前記第１開口部及び前記第２開口部を覆う状態と開放する状態とを切り替える羽根と、前記羽根を駆動する駆動部と、前記駆動部と前記羽根との間に連結されたアームと、を備え、前記アームは、複数の連結具によって前記羽根に連結されており、前記アームの前記連結具の周囲には、底部を有する溝部が形成されており、前記底部には粘着剤が配置された構成とする。【選択図】図１
2019015832.tif 000002
【特許請求の範囲】
【請求項１】
第１開口部を有する地板と、
前記第１開口部に対向する位置に第２開口部を有するカバー板と、
前記地板と前記カバー板との間に配置され、前記第１開口部及び前記第２開口部を覆う状態と開放する状態とを切り替える羽根と、
前記羽根を駆動する駆動部と、
前記駆動部と前記羽根との間に連結されたアームと、を備え、
前記アームは、複数の連結具によって前記羽根に連結されており、
前記アームの前記連結具の近傍には、底部を有する溝部が形成されており、
前記底部には粘着剤が配置されている、
フォーカルプレンシャッタ。
【請求項２】
前記溝部は、平面視において前記複数の連結具の間に形成されている、
請求項１に記載のフォーカルプレンシャッタ。
【請求項３】
前記溝部は、平面視において、隣り合う前記複数の連結具の間にそれぞれ形成されている、
請求項２に記載のフォーカルプレンシャッタ。
【請求項４】
前記溝部は、平面視において少なくとも１つの前記連結具の周囲を囲んで形成されている、
請求項１から請求項３のいずれか１項に記載のフォーカルプレンシャッタ。
【請求項５】
前記溝部は、平面視において、複数の前記連結具のすべてを囲んで形成されている、
請求項１から請求項４のいずれか１項に記載のフォーカルプレンシャッタ。
【請求項６】
複数の前記連結具は、それぞれ頭部と軸部とを有しており、
前記溝部は、前記頭部が配置された側の面に形成される、
請求項１から請求項５のいずれか１項に記載のフォーカルプレンシャッタ。
【請求項７】
請求項１から請求項６のいずれか１項に記載のフォーカルプレンシャッタを備える撮像装置。
【発明の詳細な説明】
【技術分野】
【０００１】
本発明の一態様は、カメラなどの撮像装置に用いられるフォーカルプレンシャッタなどに関する。
【背景技術】
【０００２】
シャッタ羽根によって開口部（露光開口、または画枠とも称する）を開閉することで撮像素子に対する露光を行うフォーカルプレンシャッタでは、地板とカバー板との間に形成された羽根室に配置されたシャッタ羽根を駆動機構により駆動することで開口部の開閉状態を変化させ、露光が行われる構成となっている。シャッタ羽根は、リベットなどの連結具でアームの一端に連結され、アームの他端は駆動機構に連結される。シャッタの動作時には、駆動機構によりアームを介してシャッタ羽根に駆動力が伝達されることでシャッタ羽根が移動するが、このとき、連結具及びシャッタ羽根と地板との摩擦などにより、摩耗粉が発生することがある。また、シャッタ以外の部材からもゴミが発生することがある。これらの摩耗粉及びゴミが撮像素子に付着すると、撮像結果の品質が低下する原因となる。このような摩耗粉及びゴミへの対策を施した構成として、例えば特許文献１では、摩耗粉及びゴミが撮像面に飛来することを防止するために、粘着シートを利用したカメラ用フォーカルプレンシャッタが開示されている。
【先行技術文献】
【特許文献】
【０００３】
【特許文献１】特開２００３−２８００６６号公報
【発明の概要】
【発明が解決しようとする課題】
【０００４】
上記従来の構成のフォーカルプレンシャッタでは、摩耗粉及びゴミが撮像面に付着することを軽減させることが可能であったが、近年、画質向上に対するさらに高い要求がある。そのため、従来よりもさらに効果的に、摩耗粉及びゴミが撮像面に付着することを防止可能な構成が求められている。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
第１開口部を有する地板（１）と、
前記第１開口部に対向する位置に第２開口部を有するカバー板（２）と、
前記地板と前記カバー板との間に配置され、前記第１開口部及び前記第２開口部を覆う状態と開放する状態とを切り替える羽根（４、５）と、
前記羽根を駆動する駆動部（８）と、
前記駆動部と前記羽根との間に連結されたアーム（６１、６２、７１、７２）と、を備え、
前記アームは、複数の連結具（６ａ〜６ｄ）によって前記羽根に連結されており、
前記アームの前記連結具の近傍には、底部を有する溝部（６ｅ〜６ｈ）が形成されており、
前記底部には粘着剤が配置されている、
フォーカルプレンシャッタである。
【０００７】
上記構成のフォーカルプレンシャッタによれば、羽根の動作の際の摩擦などによって発生した摩耗粉やゴミを溝部に配置した粘着剤で捕獲する構成としているため、従来よりも効果的に摩耗粉やゴミを捕獲することが可能となる。これによって、摩耗粉やゴミが飛散して撮像素子に付着し、画質が低下することを防止することなどが可能となる。
【０００８】
上記フォーカルプレンシャッタにおいて、好ましくは、
前記溝部は、平面視において前記複数の連結具の間に形成されている。
【０００９】
上記構成のフォーカルプレンシャッタによれば、比較的大きな面積の溝部を形成することができるため、摩耗粉やゴミを効果的に捕獲することができる。
【００１０】
上記フォーカルプレンシャッタにおいて、好ましくは、
前記溝部は、平面視において、隣り合う前記複数の連結具の間にそれぞれ形成されている。
【００１１】
上記構成のフォーカルプレンシャッタによれば、アーム上の空きスペースに比較的広い範囲で溝部を配置することが可能となり、より効果的に摩耗粉やゴミを捕獲することができる。
【００１２】
上記フォーカルプレンシャッタにおいて、好ましくは、
前記溝部は、平面視において少なくとも１つの前記連結具の周囲を囲んで形成されている。
【００１３】
上記構成のフォーカルプレンシャッタによれば、連結具で発生した摩耗粉やゴミを、連結具の配置された領域の外側に飛散することを抑制しやすいよう、溝部を配置することができる。これにより、さらに効果的に摩耗粉やゴミを捕獲することができる。
【００１４】
上記フォーカルプレンシャッタにおいて、好ましくは、
前記溝部は、平面視において、複数の前記連結具のすべてを囲んで形成されている。
上記構成のフォーカルプレンシャッタによれば、アーム上の全ての連結具から発生した摩耗粉やゴミを、さらに効果的に捕獲することができる。
【００１５】
上記フォーカルプレンシャッタにおいて、好ましくは、
複数の前記連結具は、それぞれ頭部と軸部とを有しており、
前記溝部は、前記頭部が配置された側の面に形成される。
【００１６】
上記構成のフォーカルプレンシャッタによれば、摩耗粉が比較的発生しやすい連結具の頭部が配置された側の面に溝部を配置することで、さらに効果的に摩耗粉やゴミを捕獲することができる。
【００１７】
上記いずれかのフォーカルプレンシャッタは、カメラなどの撮像装置に好適に適用される。
【００１８】
上記のようなカメラによれば、撮像部など、フォーカルプレンシャッタ周辺に摩耗粉やゴミなどが飛散することを防止することが可能となる。これによって、撮像部に摩耗粉やゴミなどが付着することを抑制することでき、カメラで撮像される画像の品質の低下を抑制することなどが可能となる。
【図面の簡単な説明】
【００１９】
【図１】図１は、実施形態１におけるフォーカルプレンシャッタの羽根走行待機状態の平面図である。
【図２】図２は、実施形態１におけるフォーカルプレンシャッタの羽根走行完了状態の平面図である。
【図３】図３は、実施形態１におけるフォーカルプレンシャッタの羽根及びアームの拡大図である。
【図４】図４は、実施形態１におけるフォーカルプレンシャッタの連結具近傍の断面図である。
【発明を実施するための形態】
【００２０】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００２１】
＜１．実施形態＞
本発明のフォーカルプレンシャッタは、デジタルカメラなどの撮像装置で利用されるものであり、フォーカルプレンシャッタの動作などにより発生する摩耗粉やゴミなどを捕獲するための構成に特徴のひとつがある。具体的には、本実施形態のフォーカルプレンシャッタは、アームの面に溝部が形成され、その溝部の底部に粘着剤が配置された構成としている点を特徴とする。以下、具体的に説明する。
【００２２】
図１及び図２は、本実施形態のフォーカルプレンシャッタの平面図であって、図１は羽根走行待機状態を示し、図２は羽根走行完了状態を示している。図３は、羽根及びアームの拡大図である。図４は、連結具近傍の拡大図である。
【００２３】
図１〜図３に示されるように、本実施形態のフォーカルプレンシャッタは、地板１、カバー板２、中間板３、先羽根４、後羽根５、先羽根用アーム６１及び６２、後羽根用アーム７１及び７２、並びに駆動部８を含んで構成される。駆動部８は、駆動レバー８１及び８２を含む。
【００２４】
＜地板１＞
地板１は、フォーカルプレンシャッタの基板部分であって、矩形状の開口部１ａを有している。開口部１ａは、完全な矩形状でなくても良い。図１に示されるように、地板１の開口部１ａの側方位置（図の右側）には駆動部８が搭載される。なお、開口部１ａの形状は矩形に限らず、任意の形状を採用してもよい。開口部１ａは、本発明の「第１開口部」の一例である。
【００２５】
＜カバー板２＞
カバー板２は、地板１と対向する位置に、地板１に対して所定の間隔を空けて取り付けられる。カバー板２は、フォーカルプレンシャッタが搭載されたカメラにおいて撮像素子に近い位置に配置される。ただし、撮像素子の位置に対する地板１及びカバー板２の向きは任意に変更可能である。地板１とカバー板２との間には、中間板３、先羽根４、後羽根５、先羽根用アーム６１及び６２、並びに後羽根用アーム７１及び７２が配置される。カバー板２は、地板１の開口部１ａに対向する位置に形成された開口部２ａを有する。開口部２ａは、開口部１ａと類似の矩形状であるが、完全な矩形状ではなくても良いし、矩形以外の任意の形状であっても良い。開口部２ａは、本発明の「第２開口部」の一例である。なお、カバー板２は、「補助地板」などと呼ばれる場合もある。
【００２６】
＜中間板３＞
中間板３は、地板１とカバー板２との間に配置され、地板１との間と、カバー板２との間に、それぞれ後羽根５及び先羽根４を収容する羽根室を形成する。つまり、地板１と中間板３との間には後羽根５が配置され、カバー板２と中間板３との間には先羽根４が配置される。カメラに搭載される撮像素子から近い順に、カバー板２、先羽根４、中間板３、後羽根５、地板１、と配置されている。中間板３は、地板１の開口部１ａ及びカバー板２の開口部２ａに対向する位置に、矩形状の開口部３ａを有する。開口部１ａ及び２ａ同様、中間板３の開口部３ａも矩形状ではない任意の形状であっても良い。
【００２７】
＜先羽根４＞
先羽根４は、上記のようにカバー板２と中間板３との間に位置している。先羽根４は、複数の板状部材からなり、「先羽根群」と呼ばれることがある。先羽根４は、連結具６ａ、６ｂ、６ｃ、及び６ｄなどを介して先羽根用アーム６１及び６２に連結される。先羽根４は、先羽根用アーム６１及び６２を介して、駆動部８により駆動され、開口部１ａ、２ａ及び３ａにより形成される露光開口を覆う状態と開放する状態と（開閉状態）を切り替える。先羽根４は、後羽根５よりも撮像素子に近い位置に配置されている。先羽根４及び後羽根５は、それぞれアルミニウムなどの金属、カーボンファイバー、または樹脂により形成される。
【００２８】
＜後羽根５＞
後羽根５は、上記のように地板１と中間板３との間に位置している。後羽根５は、先羽根４と同様に複数の板状部材からなり、「後羽根群」と呼ばれることがある。後羽根５は、連結具を介して、２つの後羽根用アーム７１及び７２に連結される。後羽根５は、先羽根４とともに、後羽根用アーム７１及び７２を介して、駆動部８により駆動され、開口部１ａ、２ａ及び３ａにより形成される露光開口を覆う状態と開放する状態とを切り替える。
【００２９】
＜先羽根用アーム６１及び６２＞
先羽根用アーム６１及び６２は、駆動部８と先羽根４との間に配置され、連結具によって先羽根４に連結される。先羽根用アーム６１及び６２は、駆動部８で発生した駆動力を先羽根４に伝達する。より具体的には、先羽根用アーム６２は、駆動部８の駆動レバー８１に連結されており、この駆動レバー８１の動作に伴って、先羽根用アーム６１及び６２が先羽根４を動作させる。
【００３０】
図３において斜線部分で示しているように、先羽根用アーム６１及び６２の一方の面には溝部６ｅ、６ｆ、６ｇ、及び６ｈが形成されている。
【００３１】
溝部６ｅは、先羽根用アーム６１の一方の面において、連結具６ａ〜６ｄが配置された領域を囲み、先羽根用アーム６１の縁部よりやや内側の位置に形成されている。溝部６ｅの底部には、摩耗粉及びゴミを吸着して捕獲する粘着剤が配置されている。粘着剤は、粘着テープなどのシート状の粘着剤であっても良いし、液体状の粘着剤であっても良い。ただし、粘着テープなどのシート状の粘着剤を用いると、組立工程での作業効率が向上するため好ましい。
【００３２】
図４に示されるように、連結具６ａは、頭部と軸部とを有するリベットである。溝部６ｅは、連結具６ａの頭部が配置された側と同じ面から窪んだ底部を有する凹部である。溝部６ｅの底部には粘着剤が配置される。溝部６ｅに配置される粘着剤は、動作時に他の部材に接触することで粘着剤が他の部材に付着したり、動作不具合の原因となったりすることを避けるため、溝部６ｅから外側に突出しないように配置される。溝部６ｅは、先羽根用アーム６１の強度を維持するため、先羽根用アーム６１の厚みの半分以下の深さの凹部として形成される。なお、連結具６ａ以外の連結具についても、連結具６ａと同様の構成である。
【００３３】
連結具の頭部は動作時に他の部分と摺動する部分であり、摩耗粉やゴミが比較的発生しやすい部分であるため、連結具６ａの頭部が配置された側と同じ面に溝部６ｅを含む溝部を形成することで、より効果的に摩耗粉やゴミなどを捕獲することができる。
【００３４】
溝部６ｆは、連結具６ａと６ｂとの間であって、溝部６ｅと重ならないよう配置されている。溝部６ｇは連結具６ｂと６ｃとの間であって、溝部６ｅと重ならないよう配置されており、溝部６ｈは連結具６ｃと６ｄとの間であって、溝部６ｅと重ならないよう配置されている。つまり、溝部６ｆ〜６ｈは、先羽根用アーム６１と先羽根４とを連結する連結具６ａ〜６ｄにおいて、隣り合って配置されたすべての連結具の間に形成されている。これらの溝部６ｆ〜６ｈの特徴は溝部６ｅに類似しており、溝部６ｅ同様に、連結具６ａの頭部が配置された側と同じ面から窪んだ底部を有する凹部として形成される。これらの溝部６ｆ〜６ｈの底部には、溝部６ｅと同様に粘着剤が配置されている。
【００３５】
フォーカルプレンシャッタの近傍では、概ね１００μｍ以下の大きさの摩耗粉及びゴミが発生する。したがって、溝部６ｅ〜６ｈは、上記の概ね１００μｍ以下の摩耗粉及びゴミをすべて捕獲可能にするため、１００μｍ以上の幅で形成することが好ましい。また、捕獲した摩耗粉及びゴミが他の部材に接触することを避けるため、溝部６ｅ〜６ｈは１００μｍ以上の深さを有するよう形成することが好ましい。ただし、図３にも示されるように、溝部６ｅの幅は溝部６ｆ〜６ｈよりも小さくなる場合が多いため、溝部６ｆ〜６ｈが１００μｍ以上の幅を有し、溝部６ｅは１００μｍ未満の幅で形成しても良い。また、溝部６ｅ〜６ｈのうちの特定のものだけが１００μｍ以上の幅を有しても良い。
【００３６】
なお、上記の溝部６ｅ〜６ｈは、必ずしも全てが同時に形成される必要はなく、いずれかの溝部は形成されなくても良い。
【００３７】
＜後羽根用アーム７１及び７２＞
後羽根用アーム７１及び７２は、駆動部８と後羽根５との間に配置され、連結具によって後羽根５に連結される。後羽根用アーム７１及び７２は、駆動部８で発生した駆動力を後羽根５に伝達する。より具体的には、後羽根用アーム７２は、駆動部８の駆動レバー８２に連結されており、この駆動レバー８２の動作に同期して、後羽根用アーム７１及び７２が後羽根５を動作させる。
【００３８】
後羽根用アーム７１及び７２は、先羽根用アーム６１及び６２と同様の溝部を有しているが、先羽根用アーム６１及び６２と同様の構成であるため、ここではその具体的な説明を省略する。
【００３９】
なお、先羽根用アーム６１及び６２、並びに後羽根用アーム７１及び７２の全てに溝部が形成されておらず、一部のアームにのみ溝部が形成されても良い。
【００４０】
＜駆動部８＞
駆動部８は、地板１の側方部に一部または全部が配置され、外部から与えられる電力によって動作し、駆動レバー８１及び８２を介して、先羽根用アーム６１及び６２、並びに後羽根用アーム７１及び７２を介して先羽根４及び後羽根５を駆動する。駆動部８は、例えば、永久磁石、ヨーク、コイル、及びコイルばねなどを含み、与えられた電力によって動作する、従来から知られる電磁アクチュエータなどである。
【００４１】
本実施形態のフォーカルプレンシャッタは、平面視で開口部１ａ、２ａ及び３ａ（露光開口）の内側の位置であって、被写体とは逆側（光軸方向後方）に撮像素子を備える撮像装置（カメラ）に用いられる。撮像素子は、フォーカルプレンシャッタにおいて地板１よりもカバー板２に近い位置の、基板上に搭載される。撮像素子は、例えばＣＭＯＳセンサ、またはＣＣＤなどの光電変換素子である。なお、撮像素子は本発明の「撮像部」の一例である。
【００４２】
本実施形態のフォーカルプレンシャッタは、上記のように、先羽根用アーム６１及び６２、並びに後羽根用アーム７１及び７２の少なくともひとつに、連結具の周囲に形成された底部を有する溝部が形成され、溝部に粘着剤が配置された構成としている。この構成により、本実施形態のフォーカルプレンシャッタでは、羽根の動作の際の摩擦などによって発生した摩耗粉やゴミを粘着剤により捕獲することができ、従来よりも効果的に摩耗粉やゴミを捕獲することが可能となる。これによって、摩耗粉やゴミが飛散して撮像素子に付着し、画質が低下することを防止することなどが可能となる。
【００４３】
また、本実施形態の構成では、溝部が連結具の間に形成されているため、比較的大きな面積の溝部を形成することができ、摩耗粉やゴミを効果的に捕獲することができる。
【００４４】
また、本実施形態の構成では、隣り合って配置されたすべての連結具の間に、それぞれ溝部が形成されているため、アーム上の空きスペースに比較的広い範囲で溝部を配置することが可能となり、より効果的に摩耗粉やゴミを捕獲することができる。
【００４５】
また、本実施形態の構成では、平面視において、連結具を囲むように溝部が形成されているため、アーム上の連結具から発生した摩耗粉やゴミなどを、さらに効果的に捕獲することができる。
【００４６】
＜２．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００４７】
上記の実施形態のフォーカルプレンシャッタでは、中間板３を有する構成例を説明したが、中間板３を有さない構成を採用してもよい。
【００４８】
また、上記の実施形態において溝部に配置される粘着剤は、静電性を備えることで塵を付着させる素材のものを採用してもよい。ただし、摩耗粉やゴミなどを吸着する能力に比較的優れている粘着剤を用いることが好ましい。
【００４９】
上記実施形態では、フォーカルプレンシャッタに備えられる先羽根４及び後羽根５は、それぞれ複数の羽根部材を有する構成として説明したが、先羽根４及び後羽根５は、それぞれ一枚の羽根部材を有する構成であっても良い。
【００５０】
また、実施形態では先羽根４及び後羽根５を備えるフォーカルプレンシャッタについて説明したが、先羽根４または後羽根５のいずれか一方の羽根のみを備える構成を採用しても良い。
【産業上の利用可能性】
【００５１】
本発明は、デジタルカメラなどの撮像装置のフォーカルプレンシャッタなどとして好適に適用される。
【符号の説明】
【００５２】
１…地板
１ａ…開口部
２…カバー板
２ａ…開口部
３…中間板
３ａ…開口部
４…先羽根
５…後羽根
６１、６２…先羽根用アーム
６ａ〜６ｄ…連結具
６ｅ〜６ｈ…溝部
７１、７２…後羽根用アーム
８…駆動部
８１、８２…駆動レバー
【図１】
2019015832.tif 000003
【図２】
2019015832.tif 000004
【図３】
2019015832.tif 000005
【図４】
2019015832.tif 000006